(57)【要約】【課題】非常事態の環境下に置かれた携帯電話機のユーザを救助するために、携帯電話機の充電池を節電しながら、効率良く救助隊と連絡することを可能とする。【解決手段】携帯電話機１は、所定の時刻の任意時間中だけパワーオンするバッテリ・セービング・モードへの切替スイッチを具備し、移動体通信交換機５は、救助願いの出されたユーザが所持する携帯電話機１に対し、所定時刻の任意時間中、呼出しを行い、必要に応じて、携帯電話機１をハンドフリーモードに切り替え、さらに、バッテリ・セービング・モードに切り替えて、ユーザと救助隊員との通話を行う構成としてある。【選択図】　　　図７
2004080540.tif 000002
【特許請求の範囲】
【請求項１】
所定の時刻の任意時間中だけパワーオンするバッテリ・セービング・モードを有することを特徴とする携帯電話機。
【請求項２】
移動体通信交換機からのバッテリ・セービング・モード切替信号を受信すると、自動的に前記バッテリ・セービング・モードに切り替わることを特徴とする請求項１記載の携帯電話機。
【請求項３】
前記バッテリ・セービング・モードにおいて、パワーオンした後に、位置登録信号を送信することを特徴とする請求項１又は２記載の携帯電話機。
【請求項４】
移動体通信交換機からのハンドフリーモード切替信号を受信すると、自動的にハンドフリーモードに切り替わることを特徴とする請求項１〜３のいずれかに記載の携帯電話機。
【請求項５】
救助願いの出されたユーザが所持する、上記請求項１〜４のいずれかに記載の携帯電話機の電話番号を記憶する記憶部と、この記憶部および移動体通信交換機本体を制御する制御部とを具備し、
少なくとも前記携帯電話機の前記所定時刻の任意時間中に、該携帯電話機に対し呼出しを行うことを特徴とする移動体通信交換機。
【請求項６】
前記携帯電話機に、強制的に前記バッテリ・セービング・モードへ切り替えるバッテリ・セービング・モード切替信号を送信することを特徴とする請求項５記載の移動体通信交換機。
【請求項７】
前記携帯電話機に、強制的にハンドフリーモードへ切り替えるハンドフリーモード切替信号を送信することを特徴とする請求項５又は６記載の移動体通信交換機。
【請求項８】
前記呼出しに対して、前記携帯電話機から応答があると、通話接続を行うとともに、該携帯電話機の位置情報を制御卓へ出力することを特徴とする請求項５〜７のいずれかに記載の移動体通信交換機。
【請求項９】
所定の時刻の任意時間中だけパワーオンするバッテリ・セービング・モードを有する携帯電話機と、
救助願いの出されたユーザが所持する前記携帯電話機に対し、少なくとも前記所定時刻の任意時間中に呼出しを行う移動体通信交換機と、
を具備したことを特徴とする携帯電話機を用いた救助用通信システム。
【発明の詳細な説明】
【０００１】
【発明の属する技術分野】
本発明は、携帯電話機，移動体通信交換機，及び携帯電話機を用いた救助用通信システムに関し、特に、緊急時以外のときは、一般的な携帯電話機，移動体通信交換機，及び携帯電話機を用いた通信システムであって、緊急時においては、所定の時刻の任意時間中に通信を行うことにより、携帯電話機の充電池の電力を有効に使用することができる携帯電話機，移動体通信交換機，及び携帯電話機を用いた救助用通信システムに関する。
【０００２】
【従来の技術】
近年、携帯電話機は、急速に普及するとともに高機能化され、例えば、画像を撮像して送信できる機能が付加されるなど、様々な機能が付加されている。
【０００３】
従来の様々な機能としては、迷子になる可能性がある対象者に、ＧＰＳアンテナと受信機及び携帯電話機からなる移動局セットを予め携帯させ、ＧＰＳ（全地球測位システム）から与えられる移動局の位置情報を自動的に基地局に送信することによって、迷子の探索・発見を助ける機能がある（例えば、実用新案文献１参照。）。
【０００４】
また、付加電源手段，第一の電源接続手段及び第二の電源接続手段を利用して、盗難等により行方不明となった移動無線端末装置を、その主電源を切断されていても、通常の接続動作を利用して、しかも所持者に悟られることなく探索する機能がある（例えば、特許文献１参照。）。
【０００５】
また、無線回線制御装置が電源投入切断の動作モードを指示すると、コードレス電話機が指示された動作モードに設定し、呼出しのために必要な制御チャネルの専有時間を少なくして、コードレス電話機の電力を節電する機能がある（例えば、特許文献２参照。）。
【０００６】
【実用新案文献１】
実用新案登録第３０６８６０３号公報　（第４項、段落０００８）
【特許文献１】
特開昭６２−０９１０３０号公報　（第１項、特許請求の範囲）
【特許文献２】
特開昭６３−１７５５３０号公報　（第７項、特許請求の範囲）
【０００７】
ところで、携帯電話機は、無線基地局との交信が可能な移動体通信エリア内であれば、通常の通話機能により自由に電話をかけることができる。したがって、携帯電話機のユーザが、例えば、上記移動通信エリア内で事故や天災に遭遇しても、ユーザが携帯電話機を操作でき、かつ、無線基地局との交信が可能な場合には、通常の通話機能を利用して携帯電話機から消防署に電話をかけるなどして容易に助けを求めることができる。
【０００８】
【発明が解決しようとする課題】
しかしながら、例えば、地震などにより建物が崩壊し、ユーザががれきの下に閉じ込められた場合などには、ユーザは、交信電波ががれきに遮られたり無線基地局が機能不能となり通信できない状態であっても、自分が生きていること及び自分の位置を救助隊に連絡し救出してもらおうとする。また、通信不可能と分っていても、電話がかかってくることを思うと、携帯電話機をパワーオンの状態に維持したまま、電話がかかってくるのを待ってしまう。
このため、携帯電話機の充電池を節電しながら、効率良く救助隊と連絡することができないといった問題があった。
【０００９】
また、ユーザががれきの下に閉じ込められる際、気を失ったりすると、意識がもどったときには充電池の電力が無くなっているといった事態や、ユーザが身動きできないようにがれきに埋もれてしまい、呼出しがあっても応答することができず、呼出しが多いほど充電池の電力が早くなくなるといった最悪の事態も想定されるのに対し、従来の携帯電話機は、かかる事態に対応するための救助に関する特別な機能を有していないといった問題があった。
【００１０】
本発明は、上記問題を解決すべくなされたものであり、非常事態の環境下における携帯電話機のユーザを救助するために、携帯電話機の充電池を節電しながら、効率良く救助隊と連絡することを可能とする携帯電話機及び移動体通信交換機，並びに携帯電話機を用いた救助用通信システムの提供を目的とする。
【００１１】
【課題を解決するための手段】
上記目的を達成するために、本発明の携帯電話機は、所定の時刻の任意時間中だけパワーオンするバッテリ・セービング・モードを有する構成としてある。
このようにすると、所定の時刻の任意時間中に通信を行うことができ、かつ、任意時間以外においては、充電池を節電することができる。
【００１２】
また、本発明の携帯電話機は、移動体通信交換機からのバッテリ・セービング・モード切替信号を受信すると、自動的に前記バッテリ・セービング・モードに切り替わる構成としてある。
このようにすると、ユーザが携帯電話機を操作できない場合であっても、バッテリ・セービング・モードに切り替えることができる。
【００１３】
また、本発明の携帯電話機は、前記バッテリ・セービング・モードにおいて、パワーオンした後に、位置登録信号を送信する構成としてある。
このようにすると、自動的にユーザの概略現在位置を送信することができる。
なお、従来の通信システムにおいては、携帯電話機は、位置が変わらなければ、位置登録信号を送信しない構成となっていた。
【００１４】
また、本発明の携帯電話機は、移動体通信交換機からのハンドフリーモード切替信号を受信すると、自動的にハンドフリーモードに切り替わる構成としてある。
このようにすると、ユーザが携帯電話機を操作できない場合であっても、ハンドフリーモードによって通信することができる。
【００１５】
また、本発明の移動体通信交換機は、救助願いの出されたユーザが所持する、上記請求項１〜４のいずれかに記載の携帯電話機の電話番号を記憶する記憶部と、この記憶部および移動体通信交換機本体を制御する制御部とを具備し、少なくとも前記携帯電話機の前記所定時刻の任意時間中に、該携帯電話機に対し呼出しを行う構成としてある。
このようにすると、救助依頼を受けたユーザの携帯電話機がパワーオンしているときに、すなわち、携帯電話機のパワーオンと同期して、呼出しを行うことができる。
【００１６】
また、本発明の移動体通信交換機は、前記携帯電話機に、強制的に前記バッテリ・セービング・モードへ切り替えるバッテリ・セービング・モード切替信号を送信する構成としてある。
このようにすると、ユーザが携帯電話機を操作することができない場合であっても、携帯電話機を遠隔操作でバッテリ・セービング・モードに切り替えることができる。
【００１７】
また、本発明の移動体通信交換機は、前記携帯電話機に、強制的にハンドフリーモードへ切り替えるハンドフリーモード切替信号を送信する構成としてある。
このようにすると、ユーザが携帯電話機を操作できない場合であっても、携帯電話機をハンドフリーモードとすることができる。
【００１８】
また、本発明の移動体通信交換機は、前記呼出しに対して、前記携帯電話機から応答があると、通話接続を行うとともに、該携帯電話機の位置情報を制御卓へ出力する構成としてある。
このようにすると、位置情報を管理しやすくなり、救助活動を迅速に行うことができる。
【００１９】
また、本発明の携帯電話機を用いた救助用通信システムは、所定の時刻の任意時間中だけパワーオンするバッテリ・セービング・モードを有する携帯電話機と、救助願いの出されたユーザが所持する前記携帯電話機に対し、少なくとも前記所定時刻の任意時間中に、呼出しを行う移動体通信交換機と、を具備した構成としてある。
このように、本発明は、携帯電話機を用いた救助用通信システムとしても有効であり、所定の時刻の任意時間中に通信を行おうとするので、携帯電話機の充電池の電力を有効に使用することができる。
【００２０】
【発明の実施の形態】
次に、本発明にかかる携帯電話機，移動体通信交換機，及び携帯電話機を用いた救助用通信システムの好適な実施形態について、図面を参照して説明する。
【００２１】
［携帯電話機］
図１は、本発明の実施形態にかかる携帯電話機の概略正面図を示している。
図２は、本発明の実施形態にかかる携帯電話機の要部の構成を説明するための概略ブロック図を示している。
図１において、携帯電話機１は、上面に伸縮自在のアンテナ１１と、正面に操作キーなどが配設された操作部１３および画像情報を出力する表示部１４と、側面にモード切替スイッチ３を備えている。
【００２２】
また、携帯電話機１は、図２に示すように、アンテナ１１と、電波信号の送受信を行う無線回路部１２と、プログラムにより動作制御を行う制御回路部２と、操作キーなどが配設された操作部１３と、画像情報を出力する表示部１４と、音声情報を出力するスピーカおよび音声情報を入力するマイクとからなる送受話器１５と、音声情報を信号化処理する信号処理部１６と、振動を検出し振動信号を出力する振動検出部１７と、電話番号などを記憶する記憶回路部１８と、モード切替スイッチ３と、電源部４とで構成してある。
【００２３】
モード切替スイッチ３は、携帯電話機１の側面に設けられたスライド式スイッチであり、運転モード位置３１，通常モード位置３２又は救助モード位置３３のいずれかにセットされる。
携帯電話機１は、モード切替スイッチ３が救助モード位置３３にセットされると、所定の時刻の任意時間中だけパワーオンするバッテリ・セービング・モード（Ｂ．Ｓ．Ｍ）へ切り替わる。すなわち、制御回路部２は、内部タイマ（図示せず）が所定の時刻となると、パワーオンし、任意時間が経過すると自動的にパワーオフする。
【００２４】
なお、モード切替スイッチ３は、この構造に限定されるものではなく、たとえば、操作部１３にバッテリ・セービング・モードに切り替える入力信号をキー入力する構成としてもよい。
また、制御回路部２は、後述するように、移動体通信交換機５からバッテリ・セービング・モード切替信号やハンドフリーモード切替信号を入力すると、バッテリ・セービング・モードやハンドフリーモードへの切替えを行う構成としてある。
【００２５】
次に、携帯電話機１の基本的な動作について、図面を参照して説明する。
図３は、本発明の実施形態にかかる携帯電話機の基本的な動作を説明するための概フローチャート図を示している。
同図において、先ず、携帯電話機１は、制御回路部２がモード切替スイッチ３又は移動体通信交換機５からのバッテリ・セービング・モード切替信号を入力したか否かを判断する（ステップＳ１）。
【００２６】
すなわち、携帯電話機１は、ユーザがバッテリ・セービング・モードに切り替えなくても、移動体通信交換機５からのバッテリ・セービング・モード切替信号を受信すると、自動的にバッテリ・セービング・モードに切り替わる。
このため、例えば、ユーザが、気を失ってしまったり、身動きできないようにがれきの下に閉じ込められたりして、携帯電話機１を操作できない場合であっても、バッテリ・セービング・モードに切り替わることができ、電力の消費を低減することができる。
【００２７】
次に、制御回路部２は、バッテリ・セービング・モード切替信号を入力すると、通話中か否かを判断し（ステップＳ２）、通話中のときは、通話が終了するまで、通話状態を維持する。このようにすると、例えば、バッテリ・セービング・モード作動中であっても、ユーザは、救助隊員と任意時間を越えて通話することができる。
すなわち、携帯電話機１は、バッテリ・セービング・モードにおける所定の時刻の任意時間中に着信し、ユーザがこの着信に応答すると通話状態に入る。ここで、任意時間は短く設定されているが、携帯電話機１は、かかる場合であっても、通話状態にあるときは、任意時間を越えて通話することができる。
【００２８】
次に、制御回路部２は、現在の時間が所定の時刻の任意時間内であるか否かを判断し（ステップＳ４）、任意時間外であるときは、携帯電話機１をパワーオフし（ステップＳ５）、逆に、現在の時間が任意時間内でありパワーオフされているときは、携帯電話機１をパワーオンする（ステップＳ６）。
【００２９】
次に、携帯電話機１は、制御回路部２がモード切替スイッチ３又は移動体通信交換機５からのバッテリ・セービング・モードの解除信号を入力したか否かを判断する（ステップＳ７）。そして、解除信号を入力しないときは、次回の所定の時刻の任意時間になるまで、パワーオフの状態に維持される。
【００３０】
これに対し、ユーザは、例えば、救助隊員のがれきを除去する作業音などを聞き、今なら携帯電話機１で連絡できると感じた場合などには、モード切替スイッチ３を操作し、バッテリ・セービング・モードを解除して運転モードに切り替えることができる。このようにすると、携帯電話機１はパワーオンされ（ステップＳ８）、ユーザは、外部に自由に電話をかけることができる。
また、救助隊員も、移動体通信交換機５からバッテリ・セービング・モードの解除信号を携帯電話機１に送信し、バッテリ・セービング・モードを解除することができ、例えば、新たな状況をユーザに連絡することができる。
【００３１】
なお、本実施形態のバッテリ・セービング・モードは、所定の時刻の任意時間として、各時の００分から２分間としてある、すなわち、一日では、０時００分から０時０２分まで、次は、１時００分から１時０２分まで、続いて、２時００分から２時０２分まで、…、２３時００分から２３時０２分まで、計２４回パワーオンされる。
【００３２】
また、所定の時刻の任意時間は、上記の時刻及び時間に限定されるものではなく、たとえば、２時間毎に１分間パワーオンしたり、あるいは、各時の３０分から２分間パワーオンする構成としてもよい。
ことろで、携帯電話機１は、標準時間信号にもとづいて内部タイマ（図示せず）の時間合わせを自動的に行っているので、内部タイマの時刻は正確であることは勿論である。
【００３３】
また、図示してないが、携帯電話機１は、上記周期でパワーオンされるとき、強制的に、すなわち、他の分割エリアへ携帯電話機１が移動しない場合であっても、位置登録信号を移動体通信交換機５へ送信する。
「位置登録信号」とは、携帯電話機が任意に分割されたエリアから他のエリアへ移動すると自動的に無線基地局に送信される位置信号をいう。これにより、移動体通信交換機５は、携帯電話機１がいずれのエリアに存在するかを把握でき、携帯電話機１を呼び出す際、このエリア内の無線基地局だけから呼出しを行うことができる。
【００３４】
また、例えば、ユーザが身動きできないなどの理由で携帯電話機１を操作できず、携帯電話機１が着信しても応答できない場合も想定される。かかる場合には、図示してないが、携帯電話機１は、移動体通信交換機５から送信されるハンドフリーモード切替信号を受信すると、自動的にハンドフリーモードに切り替えられる構成としてある。
【００３５】
上述したように、本実施形態の携帯電話機１は、バッテリ・セービング・モードに切り替えられると、制御回路部２の内部タイマ（図示せず）が所定の時刻になるとパワーオンし、任意時間が経過すると自動的にパワーオフし、すなわち、通信に必要な時間帯だけ自動的かつ周期的にパワーオンするので、通信する機会を確保しつつ節電することができる。
【００３６】
また、携帯電話機１は、ユーザが携帯電話機１を操作できない場合であっても、移動体通信交換機５からバッテリ・セービング・モード切替信号を受信すると、バッテリ・セービング・モードに切り替わる。さらに、ハンドフリーモード切替信号を受信すると、ハンドフリーモードに切り替わる。
したがって、ユーザが携帯電話機を操作できない場合であっても、節電しながらハンドフリーモードによる通話を行うことができる。
【００３７】
［移動体通信交換機］
図４は、本発明の実施形態にかかる移動体通信交換機の要部の構成を説明するための概略ブロック図を示している。
同図において、移動体通信交換機５は、移動体通信交換機本体５１と、プログラムにより動作制御を行う制御部５２および記憶部５３とからなっている。
【００３８】
移動体通信交換機本体５１は、ＰＤＣやｃｄｍａＯｎｅ等の交換方式の交換機であり、無線基地局７１，７２と接続されている。
また、記憶部５３は、不揮発メモリなどの記憶装置であり、救助を依頼されたユーザの携帯電話機１の電話番号を入力する記憶部であり、複数の電話番号を記憶することができる。なお、記憶部５３のこの部分のデータは、一般的に、加入者データと呼ばれている。
また、制御部５２は、コンピュータなどの制御装置からなり、移動体通信交換機本体５１と記憶部５３を制御する。
【００３９】
次に、移動体通信交換機５の基本的な動作について、図面を参照して説明する。
図５は、本発明の実施形態にかかる移動体通信交換機の基本的な動作を説明するための概フローチャート図を示している。
同図において、先ず、移動体通信交換機５は、救助を依頼され（ステップＳ１１）上記電話番号を記憶部５３に入力されると、携帯電話機１に対して呼出しを行う（ステップＳ１２）。
【００４０】
次に、制御部５２は、この呼出しに対して応答があるか否かを判断し（ステップＳ１３）、応答があるときは、救助隊携帯端末７３と接続し、ユーザと救助隊員とを通話させる（ステップＳ１４）。
そして、通話終了後、バッテリ・セービング・モード切替信号を出力し、携帯電話機１をバッテリ・セービング・モード（Ｂ．Ｓ．Ｍ）へ切り替える。（ステップＳ１５）。
【００４１】
このように、移動体通信交換機５は、携帯電話機１に、強制的にバッテリ・セービング・モードへ切り替えるバッテリ・セービング・モード切替信号を送信する構成としてある。これにより、ユーザが携帯電話機１を操作することができない場合であっても、携帯電話機１を遠隔操作でバッテリ・セービング・モードに切り替えることができる。
【００４２】
また、制御部５２は、上記ステップＳ１３において、応答が無いとき、ハンドフリーモード切替信号を出力し（ステップＳ１６）、救助隊員が携帯電話機１を介して捜索（声による呼びかけ）を行う（ステップＳ１７）。
このように、移動体通信交換機５は、携帯電話機１に、強制的にハンドフリーモードへ切り替えるハンドフリーモード切替信号を送信する構成としてある。これにより、ユーザが携帯電話機１を操作することができない場合であっても、携帯電話機１を遠隔操作でハンドフリーモードに切り替えることができる。
【００４３】
移動体通信交換機５は、この救助隊員に声の捜索に対して返事があるか否かを確認し、すなわち、返事があるか否かを判断し（ステップＳ１８）、返事があるときは、ユーザとの通話を続行する（ステップＳ１９）。
そして、通話終了後、バッテリ・セービング・モード切替信号を出力し、携帯電話機１をバッテリ・セービング・モード（Ｂ．Ｓ．Ｍ）へ切り替える（ステップＳ２０）。
また、移動体通信交換機５は、ステップＳ１８において返事が無いことを確認すると、携帯電話機１をバッテリ・セービング・モードへの切り替える（ステップＳ２１）。
【００４４】
次に、制御部５２は、ステップＳ１５，Ｓ２０，又はＳ２１において、携帯電話機１をバッテリ・セービング・モードへ切り替えた後、救助依頼が解除されたか否かを判断し（ステップＳ２２）、ユーザが救助されるなどして、救助依頼が解除されたときには、携帯電話機１に対するバッテリ・セービング・モード切替信号やハンドフリーモード切替信号をリセット（ステップＳ２３）して、救助依頼を終了させる。
【００４５】
また、移動体通信交換機５は、ステップＳ２２において、救助依頼が解除されないときは、携帯電話機１のバッテリ・セービング・モードを維持した状態でステップＳ１２にもどり、少なくとも所定の時刻の任意時間中に、携帯電話機１に対して呼出し等（ステップＳ１２〜Ｓ２２）を行う構成としてある。
【００４６】
なお、移動体通信交換機５は、所定の時刻の任意時間でないときであっても、携帯電話機１に対して、呼出し等（ステップＳ１２〜Ｓ２２）を行う構成としてもよく、このようにすることにより、たとえば、ユーザが地震などの災害によってがれきの下に閉じ込められたとき、携帯電話機１を操作できない状態で閉じ込められており、さらに、がれきに電波が遮られるなどして携帯電話機１と移動体通信交換機５とが通信不可能な場合であっても、がれきが除去され通信可能となると、いち早くユーザと連絡を行うことができる。
【００４７】
また、移動体通信交換機５は、災害地域の地図上に救助を待つユーザをプロットする制御卓５４を備えており、携帯電話機１の位置情報（位置登録情報を含む。）を制御卓５４に出力する（図４参照）。このようにすると、救助を待つ人が多い場合であっても、状況を正確かつ迅速に把握することができる。
なお、「位置情報」とは、位置に関する情報をいい、たとえば、ユーザが覚えていた位置や、ＧＰＳ（全地球測位システム）からの位置に関する情報を含むものとする。
【００４８】
上述したように、本実施形態の移動体通信交換機５は、救助を依頼されたユーザの携帯電話機１に対して、少なくとも救助依頼を受けたときおよび所定の時刻の任意時間中に、呼出しを行い、さらに、状況に応じてハンドフリーモードへの切替えやバッテリ・セービング・モードへの切替えを行なうことにより、携帯電話機１を節電した状態で効率良くユーザとの連絡を行うことができる。
【００４９】
なお、移動体通信交換機５は、地震などの災害が発生しておらず、特別の救助本部が開設されていないときは、携帯電話機１に呼出しを行い（ステップＳ１２）、受信した無線基地局における１１９番通報の連絡先と接続して通話を行ってもよい（ステップＳ１４）。
このようにすると、携帯電話機１のユーザは、１１９番通報の担当官によって、呼出しを受けることができる。また、救助を求めるユーザがこの呼出しに応答すると、上記担当官と直接通話することができるので、地震などの災害が発生していない場合であっても、より迅速に救助されることができる。
【００５０】
また、図示してないが、ステップＳ１４及びＳ１９において、ユーザと救助隊員が、任意時間の２分間を越えて通話を行うことも想定されるが、かかる場合には、制御部５２は、バッテリ・セービング・モード切替信号を出力する前に、通話状態にあるか否かを判断し、通話状態にあるときは、通話が終了した後に、バッテリ・セービング・モード切替信号を出力する（ステップＳ５，Ｓ１０）ことは勿論である。
【００５１】
［携帯電話機を用いた救助システム］
図６は、本発明の実施形態にかかる携帯電話機を用いた救助システムの構成を説明するための概略ブロック図を示している。
同図において、携帯電話機を用いた救助システム７は、救助を求めるユーザが使用する携帯電話機１と、複数の無線基地局７１，７２を有する移動体通信交換機５と、救助隊携帯端末７３とからなっている。
なお、携帯電話機１は、上記実施形態の携帯電話機とほぼ同じ構造としてあり、また、移動体通信交換機５は、上記実施形態の移動体通信交換機とほぼ同じ構造としてある。
【００５２】
携帯電話機１は、少なくとも所定の時刻の任意時間中だけパワーオンするバッテリ・セービング・モードを有しており、また、移動体通信交換機５は、所定時刻の任意時間中に、携帯電話機１への呼出しを行う構成としてある。
このように、本発明は、携帯電話機を用いた救助用通信システムとしても有効であり、携帯電話機１を節電するとともに、ユーザとの通話を効率良く行うことができる。
【００５３】
なお、本システムにおいては、携帯電話機１ａを使用することができない圏外（不感知エリア）においては、あるいは、無線基地局が災害によって破壊されたために圏外となってしまった場合においては、暫定回線を用いて可搬型無線基地局７２ａを開局し、救助隊携帯端末７３ａと携帯電話機１ａとの通話を確保することができる。
【００５４】
（第一通話例）
次に、本実施形態の救助システムによる第一通話例について、図面を参照して説明する。
図７は、本発明にかかる救助システムの第一通話例を説明するための概略タイミングチャート図を示している。
同図において、ユーザは、地震などの災害によってがれきの下に閉じ込められたとき、先ず、９時２０分に携帯電話機１から通常の電話発振を行うが、この電波はがれきにによって遮断される。そして、ユーザは、９時２５分に携帯電話機１のモード切替スイッチ３を操作しバッテリ・セービング・モードに切り替える。これによって、携帯電話機１は、各時の０２分から５８分までの間はパワーオフとなり、内部タイマなどを除いてほとんど電力を消費しない構成としてある。
【００５５】
また、災害発生後に、ユーザの家族などから、救助依頼が行われている。
この救助依頼に対して、移動体通信交換機５は、直ちに携帯電話機１に対して呼出し（Ｂ）を行い、応答が無いのでハンドフリーモード切替信号（Ｃ）を送信し、救助隊員による声による捜索（Ｄ）を行う。捜索（Ｄ）に対して返事が無いのでバッテリ・セービング・モード切替信号（Ｅ）を送信する。
【００５６】
携帯電話機１は、各時の００分から２分間だけパワーオン状態（着信待ち受け状態）となる。また、携帯電話機１は、パワーオン状態となるたびに、位置登録信号（Ａ）を出力する。一方、移動体通信交換機５は、前回と同様に呼出し（Ｂ）、ハンドフリーモード切替信号（Ｃ）、捜索（Ｄ）及びバッテリ・セービング・モード切替信号（Ｅ）を送信する。
しかし、がれきに電波が遮られ１１時１０分までは携帯電話機１と移動体通信交換機５とは、交信できない状況にある。そして、救助活動が進むにつれて、上に覆い被さっていたがれきが除去されて、１１時１０分からは携帯電話機１と移動体通信交換機５は通信可能な状況となる。
【００５７】
携帯電話機１は、１２時００分になると、パワーオン状態となり位置登録信号（Ａ）を出力する。また、移動体通信交換機５は、携帯電話機１に呼出し（Ｂ）を行ない、ユーザが応答（Ｆ）する。
そして、救助隊員とユーザは、通話（Ｇ）を行うことができ、ユーザの位置や状況を説明し、互いに救助に関する情報を連絡しあうことができる。そして、移動体通信交換機５は、通話（Ｇ）の終了後に、バッテリ・セービング・モード切替信号（Ｅ）を携帯電話機１に送信する。
【００５８】
このように、本通話例においては、ユーザは、バッテリ・セービング・モードに切り替え、がれきが除去されて通信可能となるまで、携帯電話機１の電力を節電することができる。
【００５９】
（第二通話例）
次に、本実施形態の救助システム７の第二通話例について、図面を参照して説明する。
図８は、本発明にかかる救助システムの第二通話例を説明するための概略タイミングチャート図を示している。
同図において、ユーザは、たとえば、地震などの災害によってがれきの下に閉じ込められたとき、携帯電話機１を操作できない状態で閉じ込められており、携帯電話機１は、移動体通信交換機５と通信可能な場合である。
【００６０】
災害発生後に、ユーザの家族などから救助依頼が行われると、この救助依頼に対して、移動体通信交換機５は、直ちに携帯電話機１に対して呼出し（Ｂ）を行い、応答が無いのでハンドフリーモード切替信号（Ｃ）を送信し、救助隊員による声による捜索（Ｄ）を行う。ユーザは、携帯電話機１を全く操作しないで、捜索（Ｄ）に対して返事（Ｈ）だけを行い、救助隊員と通話（Ｇ）を行うことがででき、ユーザの位置や状況を説明し、互いに救助に関する情報を連絡しあうことができる。
【００６１】
続いて、移動体通信交換機５は、通話（Ｇ）の終了後に、バッテリ・セービング・モード切替信号（Ｅ）を携帯電話機１に送信し、携帯電話機１の電力を浪費しないようにする。
【００６２】
次に、携帯電話機１は、１０時００分になると、パワーオン状態となり位置登録信号（Ａ）を出力する。また、移動体通信交換機５は、携帯電話機１に呼出し（Ｂ）を行ない、ハンドフリーモード切替信号（Ｃ）を送信する。救助隊員とユーザは、通話（Ｇ）により、ユーザの状況や救助に関する情報を連絡しあうことができる。そして、移動体通信交換機５は、通話（Ｇ）の終了後に、バッテリ・セービング・モード切替信号（Ｅ）を携帯電話機１に送信する。
【００６３】
このように、本通話例においては、ユーザの家族などからの救助依頼によって、移動体通信交換機５が呼出しを行い、応答がないときはハンドフリーモードに切り替え、救助隊員と通話した後に、バッテリ・セービング・モードに切り替える。
【００６４】
（第三通話例）
次に、本実施形態の救助システムの第三通話例について、図面を参照して説明する。
図９は、本発明にかかる救助システムの第三通話例を説明するための概略タイミングチャート図を示している。
同図において、ユーザは、たとえば、地震などの災害によってがれきの下に閉じ込められたとき、携帯電話機１を操作できない状態で閉じ込められており、携帯電話機１は、がれきに電波が遮られるなどして移動体通信交換機５と通信不可能な場合である。
【００６５】
携帯電話機１は、ユーザ及び移動体通信交換機５によって、バッテリ・セービング・モードに切り替えられないので、移動体通信交換機５からのバッテリ・セービング・モード切替信号を受信するまでパワーオンの状態を維持する。
また、移動体通信交換機５は、救助依頼に対して、第一通話例と同様に、携帯電話機１に対して呼出し（Ｂ）を行い、ハンドフリーモード切替信号（Ｃ）を送信し、救助隊員による声による捜索（Ｄ）を行い、バッテリ・セービング・モード切替信号（Ｅ）を送信する。
【００６６】
すなわち、携帯電話機１と移動体通信交換機５とは、がれきに電波が遮られ交信できない状況にある。そして、救助活動が進むにつれて、上に覆い被さっていたがれきが除去されて、１１時１０分からは携帯電話機１と移動体通信交換機５は通信可能な状況となる。
【００６７】
移動体通信交換機５は、１２時００分に携帯電話機１に対して呼出し（Ｂ）を行い、応答が無いのでハンドフリーモード切替信号（Ｃ）を送信し、救助隊員による声による捜索（Ｄ）を行う。ユーザは、携帯電話機１を全く操作しないで、捜索（Ｄ）に対して返事（Ｈ）だけを行い、救助隊員と通話（Ｇ）を行うことがででき、ユーザの位置や状況を説明し、互いに救助に関する情報を連絡しあうことができる。
【００６８】
続いて、移動体通信交換機５は、通話（Ｇ）の終了後に、バッテリ・セービング・モード切替信号（Ｅ）を携帯電話機１に送信し、携帯電話機１の電力を浪費しないようにする。
【００６９】
次に、携帯電話機１は、図示してないが、１３時００分になると、パワーオン状態となり位置登録信号（Ａ）を出力する。また、移動体通信交換機５は、携帯電話機１に呼出し（Ｂ）を行ない、ハンドフリーモード切替信号（Ｃ）を送信し、救助隊員とユーザは、通話（Ｇ）を行うことがででき、その後のユーザの状況や救助に関する情報を連絡しあうことができる。そして、移動体通信交換機５は、通話（Ｇ）の終了後に、バッテリ・セービング・モード切替信号（Ｅ）を携帯電話機１に送信する。
【００７０】
このように、本通話例においては、ユーザの家族などが救助依頼すると、ユーザは、携帯電話機１を操作しなくても、移動体通信交換機５が、携帯電話機１をハンドフリーモードに切り替えるので、救助隊員と通話することができる。
【００７１】
（第四通話例）
次に、本実施形態の救助システムの第四通話例について、図面を参照して説明する。
図１０は、本発明にかかる救助システムの第四通話例を説明するための概略タイミングチャート図を示している。
同図において、ユーザは、たとえば、地震などの災害によってがれきの下に閉じ込められたとき、携帯電話機１を操作できない状態で閉じ込められており、携帯電話機１と移動体通信交換機５とは、無線基地局７１が災害により被害を受けたため通信不可能な場合である。
【００７２】
携帯電話機１は、ユーザ及び移動体通信交換機５によって、バッテリ・セービング・モードに切り替えられないので、移動体通信交換機５からのバッテリ・セービング・モード切替信号を受信するまでパワーオンの状態を維持する。
また、移動体通信交換機５は、救助依頼に対して、第三通話例と同様に、携帯電話機１に対して呼出し（Ｂ）を行い、ハンドフリーモード切替信号（Ｃ）を送信し、救助隊員による声による捜索（Ｄ）を行い、バッテリ・セービング・モード切替信号（Ｅ）を送信するが、無基地局７１が被害を受けて通信不可能な状態にあるため、携帯電話機１と通信を行うことはできない。
【００７３】
そして、１１時１０分に無線基地局７１が復旧され通信不可能な状態になると、あるいは、可搬型無線基地局７２ａが設置されると、携帯電話機１と移動体通信交換機５は通信可能な状況となる。
【００７４】
移動体通信交換機５は、１２時００分になると、携帯電話機１に対して呼出し（Ｂ）を行い、応答が無いのでハンドフリーモード切替信号（Ｃ）を送信し、救助隊員による声による捜索（Ｄ）を行う。ユーザは、携帯電話機１を全く操作しないで、捜索（Ｄ）に対して返事（Ｈ）だけを行い、救助隊員と通話（Ｇ）を行うことがででき、ユーザの位置や状況を説明し、互いに救助に関する情報を連絡しあうことができる。
【００７５】
続いて、移動体通信交換機５は、通話（Ｇ）の終了後に、バッテリ・セービング・モード切替信号（Ｅ）を携帯電話機１に送信し、携帯電話機１の電力を浪費しないようにする。
【００７６】
次に、携帯電話機１は、１３時００分になると、図示してないが、再びパワーオン状態となり位置登録信号（Ａ）を出力する。また、移動体通信交換機５は、携帯電話機１に呼出し（Ｂ）を行ない、ハンドフリーモード切替信号（Ｃ）を送信し、救助隊員とユーザは、通話（Ｇ）を行うことがででき、その後のユーザの状況や救助に関する情報を連絡しあうことができる。そして、移動体通信交換機５は、通話（Ｇ）の終了後に、バッテリ・セービング・モード切替信号（Ｅ）を携帯電話機１に送信する。
【００７７】
このように、本通話例においては、無線基地局７１が復旧され通信不可能な状態になると、あるいは、可搬型無線基地局７２ａが設置されると、第三通話例と同様に、ユーザは、携帯電話機１を操作しなくても、移動体通信交換機５が、携帯電話機１をハンドフリーモードに切り替えるので、救助隊員と通話することができる。
【００７８】
このように、本実施形態の救助用通信システムは、所定の時刻の任意時間中に通信を行う又は通信を行おうとするので、携帯電話機の充電池の電力を有効に使用することができる。
また、ユーザが携帯電話機１を操作できない場合を想定して、移動体通信交換機５は、携帯電話機１をハンドフリーモードに切り替えることができるので、ユーザは、身動きできない状態でも救助隊員と通話することができる。
【００７９】
以上、本発明について、好ましい実施形態を示して説明したが、本発明に係る携帯電話機，移動体通信交換機，及び携帯電話機を用いた救助用通信システムは、上述した実施形態にのみ限定されるものではなく、本発明の範囲で種々の変更実施が可能であることは言うまでもない。
例えば、移動体通信交換機５が、制御部５２，記憶部５３及び制御卓５４を備えた構成としてあるが、地震などの災害に対する救助活動の場合には、制御部５２，記憶部５３及び制御卓５４を対策本部が有する構成としてもよい。
【００８０】
また、移動体通信交換機５は、所定の時刻の任意時間以外の時間にも、救助依頼のあったユーザが所持する携帯電話機１に対して、呼出し等の動作（ステップＳ１２〜Ｓ２２）を行ってもよいことは勿論である。
【００８１】
【発明の効果】
以上説明したように、本発明にかかる携帯電話機，移動体通信交換機，及び携帯電話機を用いた救助用通信システムによれば、ユーザが事故や災害に遭遇したとき、バッテリ・セービング・モードによって、携帯電話機の充電池を節電しながら、効率良く救助隊と連絡することができ、救助活動において極めて大きな効果を発揮することができる。
また、ユーザが携帯電話機を操作できない状態であっても、移動体通信交換機が、携帯電話機をハンドフリーモードへ切り替えることができるので、救助隊員と通話することができる。
【図面の簡単な説明】
【図１】図１は、本発明の実施形態にかかる携帯電話機の概略正面図を示している。
【図２】図２は、本発明の実施形態にかかる携帯電話機の要部の構成を説明するための概略ブロック図を示している。
【図３】図３は、本発明の実施形態にかかる携帯電話機の基本的な動作を説明するための概フローチャート図を示している。
【図４】図４は、本発明の実施形態にかかる移動体通信交換機の要部の構成を説明するための概略ブロック図を示している。
【図５】図５は、本発明の実施形態にかかる移動体通信交換機の基本的な動作を説明するための概フローチャート図を示している。
【図６】図６は、本発明の実施形態にかかる携帯電話機を用いた救助システムの構成を説明するための概略ブロック図を示している。
【図７】図７は、本発明にかかる救助システムの第一通話例を説明するための概略タイミングチャート図を示している。
【図８】図８は、本発明にかかる救助システムの第二通話例を説明するための概略タイミングチャート図を示している。
【図９】図９は、本発明にかかる救助システムの第三通話例を説明するための概略タイミングチャート図を示している。
【図１０】図１０は、本発明にかかる救助システムの第四通話例を説明するための概略タイミングチャート図を示している。
【符号の説明】
１，１ａ　携帯電話機
２　制御回路部
３　モード切替スイッチ
４　電源部
５　移動体通信交換機
７　救助システム
１１　アンテナ
１２　無線回路部
１３　操作部
１４　表示部
１５　送受話器
１６　信号処理部
１７　振動検出部
１８　記憶回路部
３１　運転モード位置
３２　通常モード位置
３３　救助モード位置
５１　移動体通信交換機本体
５２　制御部
５３　記憶部
５４　制御卓
７１，７２　無線基地局
７２ａ　可搬型無線基地局
７３，７３ａ　救助隊携帯端末
Ａ　位置登録信号
Ｂ　呼出し
Ｃ　ハンドフリーモード切替信号
Ｄ　捜索
Ｅ　バッテリ・セービング・モード切替信号
Ｆ　応答
Ｇ　通話
Ｈ　返事
【図１】
2004080540.tif 000003
【図２】
2004080540.tif 000004
【図３】
2004080540.tif 000005
【図４】
2004080540.tif 000006
【図５】
2004080540.tif 000007
【図６】
2004080540.tif 000008
【図７】
2004080540.tif 000009
【図８】
2004080540.tif 000010
【図９】
2004080540.tif 000011
【図１０】
2004080540.tif 000012